【手続補正書】
【提出日】平成26年11月7日(2014.11.7)
【手続補正１】
【補正対象書類名】明細書
【補正対象項目名】００１０
【補正方法】変更
【補正の内容】
【００１０】
（１）ヒータを有し、記録材に形成された未定着画像を記録材に加熱定着する定着部と、交流を整流する整流部と、前記整流部から出力する電流が入力する力率改善部と、前記力率改善部から出力する電流を直流／直流変換するＤＣ／ＤＣコンバータと、を有する電源部と、を有する画像形成装置において、前記ヒータに流れる電流を検知する電流検知部と、前記電流検知部の検知電流に応じて前記力率改善部の作動を制御する制御部と、を有することを特徴とする画像形成装置。
（２）ヒータを有し、記録材に形成された未定着画像を記録材に加熱定着する定着部と、交流を整流する整流部と、前記整流部から出力する電流が入力する力率改善部と、前記力率改善部から出力する電流を直流／直流変換するＤＣ／ＤＣコンバータと、を有する電源部と、を有する画像形成装置において、前記力率改善部に対して並列接続されているバイパススイッチと、前記ヒータに流れる電流を検知する電流検知部と、前記電流検知部の検知電流に応じて前記バイパススイッチを制御する制御部と、を有することを特徴とする画像形成装置。
【手続補正２】
【補正対象書類名】明細書
【補正対象項目名】００１１
【補正方法】削除
【補正の内容】
【手続補正３】
【補正対象書類名】明細書
【補正対象項目名】００３０
【補正方法】変更
【補正の内容】
【００３０】
力率改善部４２２がオンした状態で、ＤＣ／ＤＣコンバータ４２３のＦＥＴ４０６がＶｃｃ１制御部４４２によりデューティ制御されると、整流部４２１へ入力される電流の力率がほぼ１の状態で電圧Ｖｃｃ１が出力される。一方、力率改善部４２２がオフした状態で、ＤＣ／ＤＣコンバータ４２３のＦＥＴ４０６がＶｃｃ１制御部４４２によりデューティ制御されても、電圧Ｖｃｃ１は出力されるが、整流部４２１へ入力される電流の力率は向上しない。
【手続補正４】
【補正対象書類名】明細書
【補正対象項目名】００５６
【補正方法】変更
【補正の内容】
【００５６】
Ｓ１００２では、画像形成装置１００のウォームアップに備え、エンジンコントローラ２１２は、バイパススイッチ９３４をオフにすると共に、力率改善制御部９４１に力率改善部９２２のオン状態を指示する。これにより、力率改善制御部９４１がダイオード９０４の出力に基づいて、ＦＥＴ９０３のデューティ制御を行い、整流部９２１からの出力電流は、力率改善部９２２を介して、ＤＣ／ＤＣコンバータ９２３に入力される。Ｓ１００３、Ｓ１００４の処理は、それぞれ図７のＳ６０３、Ｓ６０４と同一の処理なので、説明を省略する。
【手続補正５】
【補正対象書類名】明細書
【補正対象項目名】００５８
【補正方法】変更
【補正の内容】
【００５８】
Ｓ１００８では、エンジンコントローラ２１２は、バイパススイッチ９３４をオンにすると共に、力率改善制御部９４１に力率改善部９２２のオフ状態を指示する。これにより、力率改善制御部９４１によるＦＥＴ９０３のデューティ制御が停止され、整流部９２１からの出力電流は、バイパススイッチ９３４を介して、ＤＣ／ＤＣコンバータ９２３に入力される。Ｓ１００９、Ｓ１０１０、Ｓ１０１１の処理は、それぞれ図７のＳ６０９、Ｓ６１０、Ｓ６１１と同一の処理なので、説明を省略する。Ｓ１００９では、エンジンコントローラ２１２は、変数ｎに０を書き込み、リセットする。Ｓ１０１２では、エンジンコントローラ２１２は、変数ＩＦに保存された電流値は閾値Ｉｌｉｍｉｔ２の値以上かどうか判断し、変数ＩＦに保存された電流値が閾値Ｉｌｉｍｉｔ２以上（第２の閾値以上）で
あればＳ１００２に進み、そうでなければＳ１０１０に戻る。
【手続補正６】
【補正対象書類名】特許請求の範囲
【補正対象項目名】全文
【補正方法】変更
【補正の内容】
【特許請求の範囲】
【請求項１】
ヒータを有し、記録材に形成された未定着画像を記録材に加熱定着する定着部と、
交流を整流する整流部と、前記整流部から出力する電流が入力する力率改善部と、前記力率改善部から出力する電流を直流／直流変換するＤＣ／ＤＣコンバータと、を有する電源部と、
を有する画像形成装置において、
前記ヒータに流れる電流を検知する電流検知部と、前記電流検知部の検知電流に応じて前記力率改善部の作動を制御する制御部と、を有することを特徴とする画像形成装置。
【請求項２】
前記制御部は、前記電流検知部の検知電流が閾値より大きい場合、前記力率改善部を作動させ、前記検知電流が前記閾値より小さい場合、前記力率改善部の作動を停止させることを特徴とする請求項１に記載の画像形成装置。
【請求項３】
前記制御部は、前記定着部を定着可能状態に立ち上げるウォームアップ期間中は前記電流検知部の検知電流に拘らず前記力率改善部を作動させることを特徴とする請求項１又は２に記載の画像形成装置。
【請求項４】
前記制御部が、前記力率改善部の作動を停止させるタイミングは、前記検知電流が前記閾値未満である状態が所定時間続いた時であることを特徴とする請求項１乃至３のいずれか一項に記載の画像形成装置。
【請求項５】
前記閾値は、前記力率改善部が作動停止した状態で、商用交流電源から前記装置に供給される電流値が電流規格の最大値を超えないように、前記ヒータに割り当てられた上限の電流値であることを特徴とする請求項２に記載の画像形成装置。
【請求項６】
前記装置は、前記装置の駆動部に電力を供給する駆動用電源と、前記制御部を含む前記装置の制御部に電力を供給する制御用電源と、を有し、
前記力率改善部を有する電源部は前記駆動用電源であることを特徴とする請求項１乃至５のいずれか一項に記載の画像形成装置。
【請求項７】
前記定着部は更に、エンドレスベルトを有し、
前記ヒータは前記エンドレスベルトの内部に設けられていることを特徴とする請求項１乃至６のいずれか一項に記載の画像形成装置。
【請求項８】
前記ヒータは前記エンドレスベルトの内面に接触していることを特徴とする請求項７に記載の画像形成装置。
【請求項９】
ヒータを有し、記録材に形成された未定着画像を記録材に加熱定着する定着部と、
交流を整流する整流部と、前記整流部から出力する電流が入力する力率改善部と、前記力率改善部から出力する電流を直流／直流変換するＤＣ／ＤＣコンバータと、を有する電源部と、
を有する画像形成装置において、
前記力率改善部に対して並列接続されているバイパススイッチと、前記ヒータに流れる電流を検知する電流検知部と、前記電流検知部の検知電流に応じて前記バイパススイッチを制御する制御部と、を有することを特徴とする画像形成装置。
【請求項１０】
前記制御部は、前記電流検知部の検知電流が閾値より大きい場合、前記バイパススイッチをオフすると共に前記力率改善部を作動させ、前記検知電流が前記閾値より小さい場合、前記バイパススイッチをオンして前記力率改善部を介さずに前記整流部から出力する電流を前記ＤＣ／ＤＣコンバータに入力させることを特徴とする請求項９に記載の画像形成装置。
【請求項１１】
前記制御部は、前記検知電流が前記閾値より小さい場合、前記力率改善部の作動も停止させることを特徴とする請求項１０に記載の画像形成装置。
【請求項１２】
前記制御部は、前記定着部を定着可能状態に立ち上げるウォームアップ期間中は、前記電流検知部の検知電流に拘らず、前記バイパススイッチをオフすると共に力率改善部を作動させることを特徴とする請求項９乃至１１のいずれか一項に記載の画像形成装置。
【請求項１３】
前記制御部が、前記バイパススイッチをオンするタイミングは、前記検知電流が前記閾値未満である状態が所定時間続いた時であることを特徴とする請求項９乃至１２のいずれか一項に記載の画像形成装置。
【請求項１４】
前記閾値は、前記力率改善部が作動停止した状態で、商用交流電源から前記装置に供給される電流値が電流規格の最大値を超えないように、前記ヒータに割り当てられた上限の電流値であることを特徴とする請求項１０に記載の画像形成装置。
【請求項１５】
前記装置は、前記装置の駆動部に電力を供給する駆動用電源と、前記制御部を含む前記装置の制御部に電力を供給する制御用電源と、を有し、
前記力率改善部を有する電源部は前記駆動用電源であることを特徴とする請求項９乃至１４のいずれか一項に記載の画像形成装置。
【請求項１６】
前記定着部は更に、エンドレスベルトを有し、
前記ヒータは前記エンドレスベルトの内部に設けられていることを特徴とする請求項９乃至１５のいずれか一項に記載の画像形成装置。
【請求項１７】
前記ヒータは前記エンドレスベルトの内面に接触していることを特徴とする請求項１６に記載の画像形成装置。